(57)【要約】      （修正有）【課題】所有者がスーツケースを家の外に持ち出した際に物品管理を行った場合において、同一グループに属する複数のスーツケースのうち１つ以外が省電力モードに入ることで電力消費を抑えることができる物品管理システムを提供する。【解決手段】第１の可搬収納装置（スーツケースＡ）３０と第２の可搬収納装置（スーツケース）３５が家の中から外に出たと判定し、かつ、第１の可搬収納装置のビーコン発受信部３２ｂから発されるビーコン情報と、第２の可搬収納装置のビーコン発受信部から発されるビーコン情報から、第１の可搬収納装置と第２の可搬収納装置が近傍にあると検知された場合に、グルーピング設定手段にて同一グループに設定された少なくとも１台以上の可搬収納装置は、省電モードに移行する。【選択図】図１
2020135575.tif 000002
【特許請求の範囲】
【請求項１】
ネットワーク中に接続可能な第１の可搬収納装置（３０）と第２の可搬収納装置（３５）を備えた物品管理システムにおいて、
前記第１の可搬収納装置（３０）は、
記憶部を有する制御部（３２ｆ）と、前記第１の可搬収納装置（３０）の中身を撮影可能な撮像部（３３）と、電源部（３２ｅ）と、無線通信部（３２）と、ビーコン情報（Ｂ１〜３）を発受信可能なビーコン発受信部（３２ｂ）と、前記第１の可搬収納装置（３０）が開閉されたことを検知する開閉検知手段（３１ａ、３２ａ）と、を有し、
前記第２の可搬収納装置（３５）は、
前記ビーコン情報（Ｂ１〜３）を発受信可能なビーコン発受信部と、前記第２の可搬収納装置が開閉されたことを検知する開閉検知手段と、を有し、
前記物品管理システムは、前記第１の可搬収納装置（３０）と前記第２の可搬収納装置（３５）の複数の可搬収納装置を同一グループに設定するグルーピング設定手段と、前記第１の可搬収納装置（３０）が家の中から外に出る、または家の外から中に入ることを判定する入出判定手段（Ｓ４０１〜４０６）を備え、
前記入出判定手段（Ｓ４０１〜４０６）より前記第１の可搬収納装置（３０）と前記第２の可搬収納装置（３５）が家の中から外に出たと判定し、
かつ前記第１の可搬収納装置（３０）の前記ビーコン発受信部（３２ｂ）から発される前記ビーコン情報（Ｂ１〜３）と、前記第２の可搬収納装置（３５）の前記ビーコン発受信部から発される前記ビーコン情報（Ｂ１〜３）から、前記第１の可搬収納装置（３０）と前記第２の可搬収納装置（３５）が近傍にあると検知された場合に、
前記グルーピング設定手段にて同一グループに設定された少なくとも１台以上の可搬収納装置（３５）は、省電モード（Ｓ４０６、Ｓ６０１〜６０８）に移行することを特徴とする物品管理システム。
【請求項２】
前記第２の可搬収納装置（３５）は、
記憶部を有する制御部と、前記第２の可搬収納装置（３５）の中身を撮影可能な撮像部と、電源部と、無線通信部と、を有することを特徴とする請求項１に記載の物品管理システム。
【請求項３】
前記省電モード（Ｓ４０６、Ｓ６０１〜６０８）とは、
前記第１の可搬収納装置（３０）もしくは前記第２の可搬収納装置（３５）の、前記ビーコン発受信部以外の機能を中断することを特徴とする請求項１又は請求項２に記載の物品管理システム。
【請求項４】
前記第１の可搬収納装置（３０）もしくは前記第２の可搬収納装置（３５）は、
前記入出判定手段（Ｓ４０１〜４０６）より、家の外から中に入るまたは家の中にいると判定された場合は、前記省電モード（Ｓ４０６、Ｓ６０１〜６０８）に移行することを特徴とする請求項１乃至請求項３の何れか一項に記載の物品管理システム。
【請求項５】
前記物品管理システムは、前記第１の可搬収納装置（３０）もしくは前記第２の可搬収納装置（３５）の中身の物品管理を行う物品管理モードを有し、
前記第１の可搬収納装置（３０）もしくは前記第２の可搬収納装置（３５）は、
前記開閉検知手段（３１ａ、３２ａ）にて前記第１の可搬収納装置（３０）もしくは前記第２の可搬収納装置（３５）が開閉されたことを検知した場合、前記省電モード（Ｓ４０６、Ｓ６０１〜６０８）を抜け、前記物品管理モードに遷移することを特徴とする請求項１乃至請求項４の何れか一項に記載の物品管理システム。
【請求項６】
前記第１の可搬収納装置（３０）の前記ビーコン発受信部（３２ｂ）から発される前記ビーコン情報（Ｂ１〜３）と、前記第２の可搬収納装置（３５）の前記ビーコン発受信部から発される前記ビーコン情報（Ｂ１〜３）から、前記第１の可搬収納装置（３０）と前記第２の可搬収納装置（３５）が一定距離以上離れたと検知された場合に、前記第１の可搬収納装置（３０）と前記第２の可搬収納装置（３５）はそれぞれ通常モード（Ｓ４０５、Ｓ５０１〜５０８）に遷移することを特徴とする請求項１乃至請求項５の何れか一項に記載の物品管理システム。
【請求項７】
前記物品管理システムは、
前記グルーピング設定手段により前記第１の可搬収納装置（３０）を親、前記第２の可搬収納装置（３５）を子、として設定する従属関係設定手段を有することを特徴とする請求項１乃至請求項６の何れか一項に記載の物品管理システム。
【請求項８】
前記制御部３２ｆは、前記第１の可搬収納装置（３０）の電池残量情報と、前記第２の可搬収納装置（３５）の電池残量情報を取得して、前記従属関係設定手段より、親子関係を入れ替えることを特徴とする請求項１乃至請求項７の何れか一項に記載の物品管理システム。
【請求項９】
ネットワーク中に接続可能な可搬収納装置（３０）と無線通信装置（９０）を備えた物品管理システムにおいて、
前記可搬収納装置（３０）は、
記憶部を有する制御部（３２ｆ）と、前記可搬収納装置（３０）の中身を撮影可能な撮像部（３３）と、電源部（３２ｅ）と、無線通信部（３２）と、ビーコン情報（Ｂ１〜３）を発受信可能なビーコン発受信部（３２ｂ）と、前記可搬収納装置（３０）が開閉されたことを検知する開閉検知手段（３１ａ、３２ａ）と、を有し、
前記無線通信装置（９０）は、
無線通信部（９８）と、ビーコン情報（Ｂ１〜３）を発受信可能なビーコン発受信部（９９）と、を有し、
前記物品管理システムは、
前記可搬収納装置（３０）をセキュリティーモードに移行させるセキュリティーモード移行手段（Ｓ７０１、７０２）を備え、
前記セキュリティーモード移行手段（Ｓ７０１、７０２）にて、セキュリティーモード（Ｓ７０２、Ｓ８０１〜Ｓ８１１）に移行した前記可搬収納装置（３０）が、開梱されたことを検知すると、
前記制御部（３２ｆ）は、前記撮像部（３３）より開梱時の撮影、かつ前記可搬収納装置（３２ｆ）から取り出された物品の管理を行い、撮影データと物品管理情報を前記無線通信装置（９０）に通知することを特徴とする物品管理システム。
【請求項１０】
前記物品管理システムは、
前記可搬収納装置（３０）が家の中から外に出る、または家の外から中に入ることを判定する入出判定手段（Ｓ４０１〜４０６）を備え、
前記セキュリティーモード移行手段（Ｓ７０１、７０２）は、前記入出判定手段（Ｓ４０１〜４０６）で前記可搬収納装置（３０）が家の外に出たと判定し、
前記可搬収納装置（３０）の前記ビーコン発受信部（３２ｂ）から発される前記ビーコン情報（Ｂ１〜３）と、前記無線通信装置（９０）の前記ビーコン発受信部（９９）の通信状況から、前記可搬収納装置（３０）が近傍にないと判断された場合に、前記制御部（３２ｆ）は前記可搬収納装置（３０）を前記セキュリティーモード（Ｓ７０２、Ｓ８０１〜Ｓ８１１）に移行させることを特徴とする請求項９に記載の物品管理システム。
【請求項１１】
前記物品管理システムは、
前記可搬収納装置（３０）の前記ビーコン発受信部（３２ｂ）から発される前記ビーコン情報（Ｂ１〜３）を、前記無線通信装置（９０）の前記ビーコン発受信部（９９）が受信できない場合に、前記可搬収納装置（３０）が近傍にないと判断することを特徴とする請求項９又は請求項１０に記載の物品管理システム。
【請求項１２】
前記可搬収納装置（３０）は、報知部（３４）を有し、前記セキュリティーモード（Ｓ７０２、Ｓ８０１〜Ｓ８１１）中に前記可搬収納装置（３０）が開梱されたことを検出すると、前記報知部（３４）は音または光もしくはその両方にてアラートを出すことを特徴とする請求項９乃至請求項１１の何れか一項に記載の物品管理システム。
【請求項１３】
前記物品管理システムは、
前記セキュリティーモード（Ｓ７０２、Ｓ８０１〜Ｓ８１１）中と、前記セキュリティーモード（Ｓ７０２、Ｓ８０１〜Ｓ８１１）以外において、
前記撮像部（３３）で撮影した画像を保存する過程で画像の処理方法が異なる（Ｓ８０５）ことを特徴とする請求項９乃至請求項１２の何れか一項に記載の物品管理システム。
【請求項１４】
前記物品管理システムは、
前記撮像部（３３）で撮影した画像の処理方法を、
前記セキュリティーモード（Ｓ７０２、Ｓ８０１〜Ｓ８１１）中は、前記可搬収納装置（３０）を開梱した人物が特定できるように画像処理を行い、
前記セキュリティーモード（Ｓ７０２、Ｓ８０１〜Ｓ８１１）中以外は、前記可搬収納装置（３０）を開梱した人物が特定できないように画像処理を行うことを特徴とする請求項９乃至請求項１３の何れか一項に記載の物品管理システム。
【発明の詳細な説明】
【技術分野】
【０００１】
本発明は、物品を管理するシステムに関するものである。詳しくは、外出時にスーツケースなどの可搬収納装置内が開閉されたかを監視することで可搬収納装置内の物品を管理する物品管理システムに関する。
【背景技術】
【０００２】
家庭内では物品を各種収納ケースやタンス、クローゼット等に収納し、衣装等の物品を管理する。例えば、旅行等で外出する場合はスーツケースに必要な衣装等の物品を入れて行くが、衣装等の物品を外出先から持ち帰り忘れることがある。特に管理する物品が多いと、スーツケース内に収納されている物品に何があったか、さえも所有者は忘れてしまう場合もある。
【０００３】
特許文献１には、少なくとも１つのセンサで鞄やスーツケース等の手荷物品の状態を監視し、例えば手荷物品が所有者から一定の距離以上離れた等、手荷物品の状態が変更されたことを検出できるシステムが開示されている。このシステムでは、検出された手荷物品の状態変更に基づいて、所有者のセキュリティデバイスに手荷物品の状態変更を通知するか否かを判断し、必要があれば通知を行うことが特徴となっている。
【先行技術文献】
【特許文献】
【０００４】
【特許文献１】特開２０１６−１３９２１５号公報
【発明の概要】
【発明が解決しようとする課題】
【０００５】
しかしながら、特許文献１では、スーツケース自体の状態管理を行うのに、１つ以上のセンサを用いて常に状態を監視しなければならならず、電力の消費増大が懸念されていた。
【０００６】
本発明は、このような従来技術の問題点に鑑みて成されたものであり、所有者がスーツケースを家の外に持ち出した際に物品管理を行った場合において、同一グループに属する複数のスーツケースのうち１つ以外が省電力モードに入ることで電力消費を抑えることを目的とする。
【課題を解決するための手段】
【０００７】
上記の目的を達成するために、本発明に係る物品管理システムは、
ネットワーク中に接続可能な第１の可搬収納装置と第２の可搬収納装置を備えた物品管理システムにおいて、
前記第１の可搬収納装置は、
記憶部を有する制御部と、前記第１の可搬収納装置の中身を撮影可能な撮像部と、電源部と、無線通信部と、ビーコン情報を発受信可能なビーコン発受信部と、前記第１の可搬収納装置が開閉されたことを検知する開閉検知手段とを有し、
前記第２の可搬収納装置は、
前記ビーコン情報を発受信可能なビーコン発受信部と、前記第２の可搬収納装置が開閉されたことを検知する開閉検知手段とを有し、
前記物品管理システムは、前記第１の可搬収納装置と前記第２の可搬収納装置の複数の可搬収納装置を同一グループに設定するグルーピング設定手段と、
前記第１の可搬収納装置が家の中から外に出る、または家の外から中に入ることを判定する入出判定手段を備え、
前記入出判定手段より前記第１の可搬収納装置と前記第２の可搬収納装置が家の中から外に出たと判定し、
かつ前記第１の可搬収納装置の前記ビーコン発受信部から発される前記ビーコン情報と、前記第２の可搬収納装置の前記ビーコン発受信部から発される前記ビーコン情報から、前記第１の可搬収納装置と前記第２の可搬収納装置が近傍にあると検知された場合に、
前記グルーピング設定手段にて同一グループに設定された少なくとも１台以上の可搬収納装置は、省電モードに移行することを特徴とする。
【発明の効果】
【０００８】
本発明に係る物品管理システムによれば、外出時に物品を管理するスーツケースの電力消費を抑えることができる。
【図面の簡単な説明】
【０００９】
【図１】本発明の第１実施例に係わるスーツケース３０の構成図である。
【図２】本発明の第１実施例に係わるスーツケース３０とインターネット通信網８０とモバイル端末９０のブロック図である。
【図３】本発明の第１実施例に係わる物品管理システム内での同行者設定を行う画面である。
【図４】本発明の第１実施例に係わる外出判定の処理を行うフローチャートである。
【図５】本発明の第１実施例に係わるスーツケースＡ３０の通常モードの処理を行うフローチャートである。
【図６】本発明の第１実施例に係わるスーツケースＢ２０の通常モードの処理を行うフローチャートである。
【図７】本発明の第２実施例に係わるスーツケースＡ３０の外出判定時におけるセキュリティーモードへ移行するフローチャートである。
【図８】本発明の第２実施例に係わるスーツケースＡ３０のセキュリティーモードの処理を行うフローチャートである。
【発明を実施するための形態】
【００１０】
以下、本発明を実施するための形態について、図面を参照しながら詳細に説明する。本発明の技術的範囲は、特許請求の範囲によって確定されるものであって、実施形態によって限定されるわけではない。また、実施形態の中で説明されている特徴の組み合わせすべてが、本発明に必須とは限らない。
【実施例１】
【００１１】
以下、図１から図８を参照して、本発明の第１の実施例について説明を行う。
【００１２】
まず、図１を参照して、スーツケースＡ３０の構成について説明を行う。
【００１３】
図１はスーツケースＡ３０の構成図である。図１（ａ）はスーツケースＡ３０の正面図、図１（ｂ）はスーツケースＡ３０の上面図、図１（ｃ）はスーツケースＡ３０上面図のＡ−Ａ断面図である。図１（ｄ）はスーツケースＡ３０の閉状態（側面図）、図１（ｅ）スーツケースＡ３０の開状態、図１（ｆ）はスーツケースＡ３０開状態のＢ−Ｂ断面図を示す。
【００１４】
図１（ａ）〜（ｄ）に示すように、スーツケースＡ３０は上蓋３１と下蓋３２からなり、下蓋３２にはスーツケースＡ持ち運び時に持ち手となる伸縮自在なレバー部３２ｃが設けられている。スーツケースＡ３０の上蓋３１、下蓋３２にはそれぞれ物品を収納することができる。
【００１５】
上蓋３１には、マグネット３１ａが備わっている。下蓋３２にはコイル３２ａとビーコン発受信部３２ｂが備わっており、図１（ｃ）または図１（ｄ）に示すように、スーツケースＡ３０が閉状態の時、マグネット３１ａとコイル３２ａは対向するように配置される。
【００１６】
さらに、下蓋３２には、無線通信部３２ｄ、電源部３２ｅ、制御部３２ｆが設けられている。制御部３２ｆには不図示の記憶部が設けられている。上蓋３１と下蓋３２にはそれぞれ、カメラ３３が取り付けられている。
【００１７】
マグネット３１ａとコイル３２ａはモバイル機器９０等に開閉検知させる開閉検知手段を構成している。以下に開閉検知の原理について説明を行う。
【００１８】
図１（ｄ）〜（ｆ）に示すように、スーツケースＡ３０の上蓋３１を下蓋３２から離す動作、すなわちスーツケースＡ３０を閉状態から開状態へ移行する動作を行うと、対向していたマグネット３１ａとコイル３２ａとが離れる。これによりコイル３２ａを貫く磁束が変化し、電磁誘導の法則からコイル３２ａに誘導起電力が発生する。この電力によってビーコン発受信部３２ｂを起動させ、電源部３２ｅから電力供給を受けることでビーコン信号が発信される。
【００１９】
次に、スーツケースＡ３０の上蓋３１を下蓋３２に近づける動作、すなわちスーツケースＡ３０を開状態から閉状態へ移行する動作を行うと、マグネット３１ａとコイル３２ａとが対向する位置に近づく。これによりコイル３２ａを貫く磁束が変化し、電磁誘導の法則からコイル３２ａには、上蓋３１を下蓋３２から離す時と逆向きの誘導起電力が発生する。この電力によってビーコン発受信部３２ｂを動作させ、電源部３２ｅから電力供給を受けることでビーコン信号が発信される。
【００２０】
上蓋３１を開ける時と、上蓋３１を閉じる時では逆向きの誘導起電力が発生することから、ビーコン発受信部３２ｂから発信されるビーコン信号は区別が可能である。このため、一方を上蓋３１が開けられたと判定し、他方を上蓋３１が閉じられたと判定することができる。発信されたビーコン信号を後述するモバイル端末９０等の電子機器で受信することでスーツケースＡ３０の開閉を他の電子機器に検知させる。また、スーツケースＡ３０自身は上蓋３１と下蓋３２の開閉時に発生する誘導起電力を制御部３２ｆが検知することが可能である。以上が開閉検知の原理である。
【００２１】
スーツケースＡ３０の開閉時だけではなく、スーツケースＡ３０に備わるビーコン発受信部３１ｂからは通常時１０秒毎に１回の頻度でビーコン信号が発信される。このビーコン信号を第１のビーコン信号Ｂ１と呼ぶ。また、前述のとおり、スーツケースＡ３０の上蓋３１を開けられたことが検知された際と、閉じられたことが検知された際にもビーコン信号が発信される。開けられたことが検知された場合に発信されるビーコン俊号を第２のビーコン信号Ｂ２と呼び、閉じられたことが検知された場合に発信されるビーコン信号を第３のビーコン信号Ｂ３と呼ぶ。但し、第１のビーコン信号Ｂ１は省電のために発信頻度を下げても良いし、スーツケースＡ３０の位置の追尾精度を高めるために発信頻度を上げても良いし、位置情報が不要の場合には発信を停止させても良い。
【００２２】
スーツケースＡ３０から発信された各ビーコン信号Ｂ１、Ｂ２、Ｂ３は無線通信部３２ｄと不図示の無線通信ルーター６０を経由して不図示のクラウドサーバー７０に送られる。
第１のビーコン信号Ｂ１には第１のビーコン信号Ｂ１の発信位置がスーツケースＡ３０に備えられた不図示のＧＰＳの位置情報が含まれる。すなわち第１のビーコン信号Ｂ１によりスーツケースＡ３０の位置がクラウドサーバー７０で管理される。
【００２３】
一方、スーツケースＡ３０から第２のビーコン信号Ｂ２が送られてきた場合にはクラウドサーバー７０はスーツケースＡ３０の上蓋３１を開けられたと判定し、第３のビーコン信号Ｂ３が送られてきた場合にはスーツケースＡ３０の上蓋３１を閉じられたと判定する。以上の構成により、スーツケースＡ３０の開閉の検知に加え、スーツケースＡ３０の現在位置の把握が可能である。
【００２４】
次に、本発明の物品管理システムの構成について、図２に示すブロック図を参照して各々説明を行う。
【００２５】
図２は本発明の第１実施例に係わる各デバイスのブロック図である。
【００２６】
図２においては、本発明の特徴を説明するのに必要な部分のみを記載しており、説明に不要な部分に関しては省略している。
【００２７】
まず本発明の第１実施例に係わる各デバイスに関して説明を行う。
【００２８】
スーツケースＡ３０は前述のとおり上蓋３１と下蓋３２から成る。
【００２９】
下蓋３２には開閉検知に用いられるコイル３２ａと、近距離にあるデバイスと通信を確立させ、近距離無線通信網８１の構築に用いられるビーコン発受信部３２ｂとが備わる。また、ビーコン発受信部３２ｂに電力を供給する電源部３２ｅ、および報知部３４が備わる。報知部３４はスーツケースＡ３０の所有者に外出時に後述するモバイル端末９０とスーツケースＡ３０がビーコン信号の通信が行われていないことを知らせるためにある。報知部３４は警告音やＬＥＤによる光等、所有者に通知させることができれば形式は問わない。通知を止めるスイッチはスーツケースＡ３０に配置されている（不図示）。
【００３０】
上蓋３１には開閉検知に用いられるマグネット３１ａが備わる。スーツケースＡ３０が閉状態の時、マグネット３１ａとコイル３２ａとは対向するように配置される。
【００３１】
カメラ３３はレンズや撮像素子からなる。また、カメラ３３で取得した画像データを記憶する記憶部（不図示）と、撮影の制御を行う制御部３２ｆと、カメラ３３を駆動させるのに必要な電力を有しスーツケースＡ３０各部に電力を供給する電源部３２ｅとが備わる。さらに、クラウドサーバー７０に画像データを転送する無線通信部３２ｄと、近距離にあるデバイスとビーコン信号による通信を確立させ、近距離無線通信網８１の構築に用いられるビーコン発受信部３２ｂとが備わる。クラウドサーバー７０への画像データ転送が完了されると制御部３２ｆ内の記憶部（不図示）に記憶され画像データは順次消去される。これは、データは全てクラウドサーバー７０で一元管理し、不要なデータをなるべくシステム上に残さないようにすることでデータ流出等のリスクを低減するためである。
【００３２】
無線通信ルーター６０には各デバイスとの通信を行う無線通信部６１と、クラウドサーバー７０を始めとする外部機器とのインターネット通信を行う通信部６２とが備わる。また、各通信部６１、６２を駆動させるのに必要な電力を有し各通信部６１、６２に電力を供給する電源部６３が備わる。
【００３３】
通信拠点７１はクラウドサーバー７０側に設置され、インターネット通信網８０に接続されている。通信拠点７１は無線通信ルーター６０から通信基地局を経由して送られてきたデータを受信する際や、クラウドサーバー７０のデータを無線通信ルーター６０に送信する際に使用される。通信拠点７１には無線通信ルーター６０と通信し、且つクラウドサーバー７０との通信も行われる通信部７１ａと、通信部７１ａを駆動させるのに必要な電力を有し通信部７１ａに電力を供給する電源部７１ｂとが備わる。
【００３４】
クラウドサーバー７０はある拠点に設置され、各情報を集約して保存し、不図示のコンピュータやモバイル端末９０からの要望に基づき必要なデータをコンピュータやモバイル端末９０に対し送信する役割を担う。クラウドサーバー７０には、通信拠点７１と通信を行う通信部７２が備わる。また、モバイル端末９０での閲覧に適した状態に情報を処理する情報処理部７３と、スーツケースＡ３０から送られてきたデータを保存する記憶部７４とが備わる。さらに、クラウドサーバー７０を駆動させるのに必要な電力を有しクラウドサーバー７０に電力を供給する電源部７５が備わる。
【００３５】
モバイル端末９０は主に個人で携帯されて使用され、外出先の内部にも外部にも持ち出されるデバイスである。モバイル端末９０はクラウドサーバー７０に保存されている各種情報を閲覧する際の閲覧手段として使用でき、クラウドサーバー７０へ対し入力を行う際の操作手段として使用できる。
【００３６】
モバイル端末９０には端末制御を司る制御部９１と、各種情報を表示する表示部９２と、クラウドサーバー７０に保存されている各種データを閲覧するのに適したＵＩを提供するアプリケーション９３とが備わる。また、表示部９２の表面をなぞったり、タップしたりすることで入力操作ができる操作部９４と、アプリケーションを含む情報を保存している記憶部９５とが備わる。さらに、人工衛星から電波を受信し、受信した電波からモバイル端末９０の絶対位置情報を得ることができるＧＰＳ９６が備わる。また、モバイル端末９０を駆動させるのに必要な電力を有しモバイル端末９０に電力を供給する電源部９７と、無線通信ルーター６０や通信基地局との通信を行う無線通信部９８が備わる。さらに、近距離にあるデバイスとビーコン信号による通信を確立させ、近距離無線通信網８１の構築に用いられるビーコン発受信部９９が備わる。
【００３７】
無線通信部９８は無線通信ルーター６０との通信を行う第１の通信手段９８ａと、通信基地局との間を無線通信する際に利用される第２の通信手段９８ｂとを有する。主に家など室内にモバイル端末９０がある場合には第１の通信手段９８ａにて通信を行い、室内から持ち出され、第１の通信手段９８ａの信号が無線通信ルーター６０に届かなくなった際に第２の通信手段９８ｂが使用される。このため、モバイル端末９０が室内から持ち出された場合にもクラウドサーバー７０との通信を確立させることが可能である。
【００３８】
続いて、スーツケースＡ３０の中身の物品の出し入れの監視方法について説明を行う。
【００３９】
前述の通り、スーツケースＡ３０が開けられると、第２のビーコン信号Ｂ２が発信され、制御部３２ｆは無線通信部３２ｄを通じてクラウドサーバー７０へ伝えられる。スーツケースＡ３０は制御部３２ｆを通じてカメラ３３を起動し撮影開始し、スーツケースＡ３０から出し入れされる物品が監視される。
【００４０】
一方、スーツケースＡ３０が閉じられたことを検知すると、第３のビーコン信号Ｂ３が発信され、制御部３２ｆは現在撮影中のカメラ３３に対し撮影終了の指示を送り、物品の監視が終了する。以上の構成により、スーツケースＡ３０から出し入れされる物品が監視される。
【００４１】
仮にスーツケースＡ３０が室内から外に持ち出しても、スーツケースＡ３０は自身のカメラ３３を起動し撮影することにより外で物品の出し入れを管理することが可能となる。もしスーツケースＡ３０の所有者がモバイル端末９０を保有している場合、スーツケースＡ３０を、モバイル端末９０を用いて管理してもよい。
【００４２】
次に、図３〜図６を参照して、スーツケースＡ３０が外出先で省電力モードとなる物品管理システムの動作を以下に説明する。
【００４３】
まず、所有者がスーツケースＡ３０、Ｂ３５を所有し外出する際の、同一グループ設定方法について、図３を参照して説明する。
【００４４】
スーツケースＢ３５は、スーツケースＡ３０と同様の構成となっている。
【００４５】
スーツケースＡ３０は所有者がモバイル端末９０の物品管理アプリを操作することにより、スーツケースＡ３０の制御部３２ｆの記憶部（不図示）に所有者情報を記憶する。
【００４６】
物品管理アプリとは、所定空間内での物品を簡易に管理するための物品管理システムをモバイル端末９０上で操作するためのアプリである。
【００４７】
その後、旅行をする前に、同様に物品管理アプリを操作し、日時、旅行先、同行者を設定することにより、２つのスーツケースＡ３０、Ｂ３５は同一グループに設定される。旅行中においても、同じく物品管理アプリで同行者設定をすることで、２つのスーツケースは同一グループ設定にすることができる。
【００４８】
図３に関しては、所有者『父』のスーツケースＡ３０が同じく所有者『母』のスーツケースＢ３５と同一の日時、旅行先、同行者を設定した場合に、所有者『父』と所有者『母』のスーツケースＡ３０とスーツケースＢ３５が同一グループに設定されることとなる。ここで所有者『父』のスーツケースＡ３０は『親』のフラグが立ち、所有者『母』のスーツケースＢ３５は『子』のフラグが立てられる。この『親』と『子』のフラグ設定は、手動でスーツケースＡ３０、Ｂ３５の対応を逆にすることも可能であり、フラグ設定の解除も可能である。同一グループ設定された２つのスーツケースＡ３０、Ｂ３５は、後述の通り、外出先で親子関係として動作し、子として扱われるスーツケースＢ３５は動作機能を制限する省電力モードに遷移することでスーツケース全体の消費電力を抑えることが可能となる。
【００４９】
次に、スーツケースＡ３０が自宅の外に持ち出されたか否かを判定する、外出判定方法について、図４を参照して説明する。
【００５０】
スーツケースＡ３０が所有者の自宅にあるとき、スーツケースＡ３０はビーコン発受信部３２ｂから無線通信ルーター６０を通じてクラウドサーバー７０へ位置情報を送信する（ステップＳ４０１）。
【００５１】
スーツケースＡ３０が自宅に存在する、つまり外出したと判定されていない場合は、スーツケースＡ３０は定期的にビーコン発受信部３２ｂからクラウドサーバー７０へ位置情報を送信し続ける。
【００５２】
次に、ステップＳ４０２にて物品管理システムは、所有者がスーツケースＡ３０を持って自宅から外出したか否かの判定をおこなう。例えば、玄関のドアの開閉検知が可能である構成において、ドアの開閉検知をトリガーにしてスーツケースＡ３０が自宅から外に持ち出されたか否の外出判定を行うことができる。
【００５３】
外出判定のトリガーとなる検出部は、加速度センサ、コイン型電池とビーコン発受信部を備えた玄関マットや靴で行っても良い。例えば、加速度センサによって人が玄関マットにのる、または靴を履いたことが検知され、ビーコン信号を介してスーツケースＡ３０の制御部３２ｆに伝えられる。
【００５４】
また、スーツケースＡ３０の外出判定方法としては上記に限らない。例えば、スーツケースＡ３０が室内の近接無線通信８１の圏外となり、第１のビーコン信号Ｂ１がコンピュータ５０に届かなくなったこと、すなわちビーコン信号の非検出をトリガーにして持ち出されたと判定し、再び届くようになったことをトリガーとして持ち込まれたと判定しても良い。
【００５５】
ステップＳ４０３では、スーツケースＡ３０が『子』のフラグ設定となっているか否かを確認する。ステップＳ４０３でスーツケースＡ３０が『子』のフラグ設定となっていない場合は、通常の起動状態であるステップＳ４０５へ進む。
【００５６】
次にスーツケースＢ３５が自宅の外に持ち出されたか否かを判定する。ステップＳ４０３まではスーツケースＡ３０のフローと同様のため、スーツケースＡ３０との違いを説明する。
【００５７】
ステップＳ４０３では、スーツケースＡ３０と同様に、スーツケースＢ３５が『子』のフラグ設定となっているか否かを確認する。ステップＳ４０３でスーツケースＡ３０が『子』のフラグ設定となっている場合は、ステップＳ４０４にてスーツケースＢ３５は『親』フラグ設定となっているスーツケースＡ３０とのペアリングを行い、ペアリングが成功した場合は省電モードの状態であるステップＳ４０６へ進む。ペアリングには、ＢＬＥ（Ｂｌｕｅｔｏｏｔｈ(登録商標）  Ｌｏｗ  Ｅｎｅｒｇｙ）などの通信網を使用して、スーツケースＡ３０とスーツケースＢ３５が通信可能な状態になることを指す。
【００５８】
ステップＳ４０４でスーツケースＢ３５は、『親』フラグ設定となっているスーツケースＡ３０とのペアリングが失敗した場合には、通常モードの状態であるステップＳ４０５へ移行する。
【００５９】
図５では、外出と判定されたスーツケースＡ３０がステップＳ４０５の通常モードの処理を行うフローを説明する。
【００６０】
図４のステップＳ４０５で通常モードへと移行したスーツケースＡ３０の制御部３２ｆは、先述したとおりビーコン発受信部３２ｂの動作を検知したか否かでスーツケースＡ３０が開かれたか否かを検知する（ステップＳ５０１）。
【００６１】
制御部３２ｆはビーコン発受信部３２ｂの動作を検知しないまま一定時間経過するかどうかを検知する（ステップＳ５０２）。
【００６２】
もしステップＳ５０１にてスーツケースＡ３０が開かれたことを検知した場合は、ステップＳ５０３へ進み、ステップＳ４０５の通常モードを終了する。ステップＳ４０５で通常モードを終了すると、スーツケースＡ３０の中の物品を監視するモードへ移行する。
【００６３】
ステップＳ５０２でスーツケースＡ３０が一定時間開かれたことを検知しない場合は、ステップＳ５０４へ進み、制御部３２ｆはスーツケースＡ３０自身の管理情報を取得する。
【００６４】
ここに示す管理情報とは、スーツケースＡ３０の位置情報、電池残量、開閉検知有無等の情報を取得する。
【００６５】
ステップＳ５０４にて自身の管理情報を取得した後に、ステップＳ５０５へ進み、スーツケースＡ３０のビーコン発受信部３２ｂは、スーツケースＢ３５のビーコン情報を受信したか否かを確認する。後述するが、スーツケースＡ３０とペアリングされているスーツケースＢ３５からは、定期的にスーツケースＢ３５自身の管理情報がスーツケースＢ３５の不図示のビーコン発受信部から発信されている。
【００６６】
ステップＳ５０５にてスーツケースＡ３０は、スーツケースＢ３５自身のビーコン情報を受信した場合は、制御部３２ｆはスーツケースＢ３５の管理情報を取得する。ここに示す管理情報とは、スーツケースＢ３０の位置情報、電池残量、開閉検知有無等の情報を取得する。
【００６７】
この時に、スーツケースＡ３０の電池残量がスーツケースＢ３５の電池残量を下回った場合は、図３のスーツケースＡ３０のフラグ『親』と、スーツケースＢ３５のフラグ『子』を入れ替え、スーツケースＡ３０を『子』、スーツケースＢ３５を『親』として処理を入れ替えてもよい。
【００６８】
ステップＳ５０５にてスーツケースＡ３０のビーコン発受信部３２ｂは、スーツケースＢ３５のビーコン情報を受信できた場合は、ステップＳ５０６へ進む。
【００６９】
ステップＳ５０６では、先述したスーツケースＢ３５の管理情報をビーコン発受信部３２ｂが取得し、ステップＳ５０７へ移行する。
【００７０】
ステップＳ５０７では、制御部３２ｆは、ビーコン発受信部３２ｂを通じて、スーツケースＢ３５の管理情報を取得した旨のビーコン情報を発信する。
【００７１】
ステップＳ５０５にてスーツケースＡ３０のビーコン発受信部３２ｂは、スーツケースＢ３５のビーコン情報を受信できなかった場合にステップＳ５０８へ進む。
【００７２】
その後、制御部３２ｆは、ステップＳ５０４で取得したスーツケースＡ３０の管理情報と、ステップＳ５０６で取得したスーツケースＢ３５の管理情報を、無線通信部３２ｄを通じてクラウドサーバー７０へ送信する（ステップＳ５０８）。
【００７３】
ステップＳ５０８の処理後は、ステップＳ５０１へ移行し、これを繰り返す。
【００７４】
以上のことにより、物品管理システム上でのスーツケースＡ３０とスーツケースＢ３５内の物品の管理情報を制御部３２ｆから無線通信部３２ｄを通じてリアルタイムでクラウドサーバー７０へ送信することにより、常に物品管理システム上での情報を最新に保つことが可能となる。
【００７５】
図６では、外出と判定されたスーツケースＢ３５がステップＳ４０６の省電モードの処理を行うフローを説明する。
【００７６】
図４のステップＳ４０６で省電モードへと移行したスーツケースＢ３５の制御部（不図示）は、ビーコン発受信部（不図示）の動作を検知したか否かでスーツケースＢ３５が開かれたか否を検知する（ステップＳ６０１）。
【００７７】
スーツケースＢ３５の制御部は、ビーコン発受信部の動作を検知しないまま一定時間経過するかどうかを検知する（ステップＳ６０２）。
【００７８】
もしステップＳ６０１にてスーツケースＢ３５が開かれたことを検知した場合は、ステップＳ６０３へ進み、ステップＳ６０６の省電モードを終了する。ステップＳ６０３で省電モードを終了すると、スーツケースＢ３５の中の物品を監視するモードへ移行する。
【００７９】
ステップＳ６０２にてスーツケースＢ３５が一定時間開かれたことを検知しない場合は、ステップＳ６０４へ進み、スーツケースＢ３５の制御部は自身の管理情報を取得する。
【００８０】
ここに示す管理情報とは、スーツケースＢ３５の位置情報、電池残量、開閉検知有無等の情報を取得する。
【００８１】
ステップＳ６０４にてスーツケースＢ３５は自身の管理情報を取得した後に、ステップＳ６０５へ進み、スーツケースＢ３５のビーコン発受信部は、スーツケースＢ３５の管理情報をビーコン情報としてスーツケースＡ３０のビーコン発受信部３２ｂへ発信する。
【００８２】
その後、ステップＳ５０７にてスーツケースＡ３０のビーコン発受信部３２ｂから発信される、スーツケースＢ３５の管理情報を取得した旨のビーコン情報を、スーツケースＢ３５のビーコン発受信部（不図示）が受信したか否かを確認する（ステップＳ６０６）。
【００８３】
ステップＳ６０７にて一定時間経過しても、ビーコン情報を受信できなかった場合は、スーツケースＢ３５の制御部は、スーツケースＡ３０と一定距離以上離れたと検知して、ステップＳ６０８にて省電モードからステップＳ４０５の通常モードへ移行する。
【００８４】
ステップＳ６０８でステップＳ４０５の通常モードへ移行したスーツケースＢ３５が、再度スーツケースＡ３０と一定距離以下に近づいた場合は、ステップＳ４０６の省電モードに復帰する。
【００８５】
ステップＳ６０６で、一定時間以内にビーコン情報を受信した場合は、省電モードを維持し、ステップＳ６０１へ移行し、これを繰り返す。
【００８６】
以上のステップＳ４０５の通常モードと、ステップＳ４０６の省電モードを実施することにより、スーツケースＡ３０の制御部３２ｆが無線通信部３２ｄを通じて、スーツケースＡ３０とスーツケースＢ３５の管理情報を一括でクラウドサーバー７０へ送信する。よって物品管理システム上の情報を最新に保ちつつも、スーツケースＢ３５の消費電力を抑えることが可能となり、スーツケースＡ３０と合計した全体の消費電力を抑えることが出来る。
【００８７】
なお、本実施例では記載していないが、モバイル端末９０を『親』、スーツケースＡ３０、Ｂ３５を『子』として扱うことにより、スーツケースＡ３０、Ｂ３５の両方が省電モードに移行する。よってスーツケースＡ３０を『親』、スーツケースＢ３５を『子』として取り扱う場合の合計の消費電力より、スーツケースＡ３０、Ｂ３５合計の消費電力を抑えることが可能となる。その場合は、図４のステップＳ４０４でモバイル端末９０とペアリングするか、スーツケースＡ３０を『親』として処理を行うのかを所有者に選択させてもよい。モバイル端末９０を『親』として扱う場合は、スーツケースＡ３０とモバイル端末９０のペアリングを実施する。スーツケースＡ３０とモバイル端末９０のペアリングとは、ＢＬＥ（Ｂｌｕｅｔｏｏｔｈ  Ｌｏｗ  Ｅｎｅｒｇｙ）などの通信網を使用して、スーツケースＡ３０とモバイル端末９０が通信可能な状態になることを指す。
【実施例２】
【００８８】
次に、スーツケースＡ３０の所有者が、ホテルなどの外出先にスーツケースＡ３０を置いたまま外出した際の、スーツケースＡ３０のセキュリティーモードを行う処理に関して説明する。以下、実施例１と異なる点を中心に説明する。
【００８９】
所有者（ペアリング済のモバイル端末９０）が外出により、スーツケースＡ３０と離間を検知し、スーツケースＡ３０がセキュリティーモードに移行する。セキュリティーモード中のスーツケースＡ３０の中身が盗難時、つまり不用意に開けられたときに、開梱者（盗難者）の撮影を行い所有者に通知することで盗難者の割り出しを行うだけでなく、盗難された物品の管理を行うことにより物品管理システム上で盗難品を認識することが可能となる。
【００９０】
実施例１と異なる点は、図７の外出判定をする処理中において、外出したと判定した（ステップＳ４０２でＹ）場合と、ステップＳ４０３でスーツケースＡ３０に『子』フラグの設定になっているか否かを確認するフローの間に、スーツケースＡ３０のビーコン発受信部３２ｂがモバイル端末９０のビーコン信号を受信しているか否かの判定を追加する（ステップＳ７０１）。
【００９１】
ステップＳ７０１でモバイル端末９０のビーコン信号を受信していると判定した場合には、ステップＳ４０３に進む。
【００９２】
ステップＳ７０１でモバイル端末９０のビーコン信号を受信していないと判定した場合には、スーツケースＡ３０から所有者（モバイル端末９０）が離間したと判断して、制御部３２ｆはスーツケースＡ３０をセキュリティーモードに移行させる（ステップＳ７０２）。
【００９３】
図８では、ステップＳ７０２でスーツケースＡ３０がセキュリティーモードに移行した時の処理を示す。
【００９４】
まず、ステップＳ８０１にてスーツケースＡ３０の制御部３２ｆは、スーツケースＡ３０が開けられたかどうかを監視する。スーツケースＡ３０が開けられたかどうかの検知は、先述のとおりビーコン発受信部３２ｂの動作を検知したかで検知する。
【００９５】
スーツケースＡ３０が開けられない場合は、この処理を繰り返す。
【００９６】
セキュリティーモード中において盗難者がスーツケースＡ３０を開いたことにより、制御部３２ｆがスーツケースＡ３０の開かれたことを検知した場合、ステップＳ８０２にて報知部３４を通じて警告を発する。警告とは警告音やＬＥＤによる光等、盗難者に通知させることができれば形式は問わない。
【００９７】
その後すぐに、制御部３２ｆはカメラ３３を起動させ、スーツケースＡ３０を開いた人物を撮影開始する。（ステップＳ８０３）本実施例ではカメラ３３は上蓋３１と下蓋３２にそれぞれ１台ずつ取り付けられている。これはスーツケースＡ３０を開けた人物を確実に撮影画像に写す為に２台のカメラ３３をもってスーツケースＡ３０開き時の画角をカバーしている。よって、上蓋３１と下蓋３２をつなぐ不図示のヒンジ部に１８０°近い画角を持つ広角カメラ１台を取り付けることによりその画角をカバーしてもよく、カメラ３３の配置方法はこれに限定しない。
【００９８】
本発明では言及しないが、物品管理システムにおける目的はスーツケースＡ３０の中の物品管理であり、持ち出し人を特定する目的ではない。即ち通常動作時は着替え時などのプライバシー保護のために物品管理のためにカメラ３３で撮影した画像（動画）から持ち出し人の姿を加工消去し制御部３２ｆはクラウドサーバー７０に情報を送信している。しかしステップＳ８０３の場合は、スーツケースＡ３０を開いた人物を特定することが目的であるため、カメラ３３で撮影した動画もしくは画像を制御部３２ｆは加工消去せずにクラウドサーバー７０に送信しても良い。
【００９９】
次にスーツケースＡ３０の制御部３２ｆは、ステップＳ８０１でスーツケースＡ３０が開かれたことを無線通信部３２ｄからクラウドサーバー７０へ送信し（ステップＳ８０４）、さらにステップＳ８０３で撮影した動画を送信し続ける。（ステップＳ８０５）ステップＳ８０５でクラウドサーバー７０に送信された画像を、モバイル端末９０にて受信した所有者は、自身のスーツケースＡ３０の中身が盗難されそうになっていることを認識することが出来る。
【０１００】
その後、制御部３２ｆは、スーツケースＡ３０内の荷物が持ち出されていないかをカメラ３３を通じて監視する（ステップＳ８０６）。
【０１０１】
もしスーツケースＡ３０の荷物が持ち出されていない場合は、ステップＳ８０８に飛び、スーツケースＡ３０が閉じられたことを検出するまでステップＳ８０６とステップＳ８０８を繰り返す。
【０１０２】
ステップＳ８０６にてスーツケースＡ３０内の荷物が持ち出されたことを検知した場合は、制御部３２ｆはカメラ３３で撮影された荷物を検知し、荷物を持ち出された旨と物品内容を無線通信部３２ｄからクラウドサーバー７０に送信する（ステップＳ８０７）。
【０１０３】
ステップＳ８０７で、無線通信部３２ｄからクラウドサーバー７０に送られた情報を受け、物品管理システムは内容を更新する。
【０１０４】
ステップＳ８０７の処理を終えたスーツケースＡ３０の制御部３２ｆは、ステップＳ８０８でスーツケースＡ３０が閉じられたことを検知するまでステップＳ８０６とステップＳ８０８を繰り返す。
【０１０５】
ステップＳ８０８でスーツケースＡ３０が閉じられたことを検知した場合は、ステップＳ８０９でカメラ３３の撮影を停止する。ステップＳ８１０で無線通信部３２ｄが撮影データを全てクラウドサーバー７０に送信したことを確認し、クラウドサーバー７０への撮影データの送信を停止する（ステップＳ８１１）。
【０１０６】
以上の図８のセキュリティーモード（ステップＳ７０２〜ステップＳ８１１）を実施することで、外出先でスーツケースＡ３０から離れていて、他人にスーツケースＡ３０を開けられた際にも、開けた人を撮影しつつ、盗難された物品の管理を行う。よって、スーツケースＡ３０の所有者はすぐにスーツケースＡ３０が不用意に開けられたことと、持ち出された物品を知ることが可能となる。
【０１０７】
以上説明したように、本発明の物品管理システムは所定空間内での物品を簡易に管理することが可能となる。
【０１０８】
また、本実施例では物品を収納する容器としてスーツケースＡ３０を例に挙げて説明を行ってきたが、本発明の適用範囲はこれに限らず、衣装ケース他、各種ケースや箱、鞄、タンスやクローゼット、押し入れ、物置等、物品を収納することができるもの全てを対象とする。例えば、クローゼットから出し入れされる物品を監視する場合には、クローゼットのドアにコイルとビーコン発受信部とコイン型電池を備え、枠にマグネットを備えることで開閉検知手段が形成できる。開閉検知の方法についても、コイル３２ａとマグネット３１ａを近づけたり、遠ざけたりすることで発生する磁束の誘導起電力を例に挙げて説明を行ってきたが、本発明の適用範囲はこれに限らない。例えば、振動センサを用い収納ケースを振動させたことを検知すると収納ケースの開を検知しても良いし、重さの変化や傾きの変化等を各種センサ（圧力センサ、加速度センサ、スイッチ等）で検知し、収納ケースの開及び閉を検知する構成としても良い。さらに、収納される物品については衣類を例に挙げているが、これも当然限定されるものではなく、各収納ケースに収納可能なものであれば全てを対象とする。
【符号の説明】
【０１０９】
３０  スーツケースＡ、３１  上蓋、３１ａ  マグネット、３２  下蓋、
３２ａ  コイル、３２ｂ  ビーコン発受信部、３２ｄ  無線通信部、
３２ｅ  電源部、３２ｆ  制御部、７０  クラウドサーバー、
９０  モバイル端末、Ｂ１  第１のビーコン信号、Ｂ２  第２のビーコン信号、
Ｂ３  第３のビーコン信号
【図１】
2020135575.tif 000003
【図２】
2020135575.tif 000004
【図３】
2020135575.tif 000005
【図４】
2020135575.tif 000006
【図５】
2020135575.tif 000007
【図６】
2020135575.tif 000008
【図７】
2020135575.tif 000009
【図８】
2020135575.tif 000010